(57)【特許請求の範囲】
【請求項１】
記録媒体であるディスクを載置するディスク載置部が複数設けられたロータリートレイを回転させ、前記ディスクの番号を指定するためのディスク番号指定信号に従って、前記ディスク載置部に割り当てた番号を判別することにより、当該ディスク載置部を所定位置に停止させるディスク判別装置において、前記ロータリートレイの裏面に同心円上で帯状に設けられた帯状部に、前記ディスク載置部の位置に対応させて形成されたディスク検出孔と、該ディスク検出孔の間に配置され各ディスク載置部の固有番号に対応して配列パターンが異なるように傾斜状の反射面と平面状の反射面とが区分されて配列された反射領域とを設け、前記帯状部に向けて光を出射する発光素子と、該発光素子による前記帯状部からの反射光を受光する受光素子とを前記ロータリートレイの裏面の下方側に設け、前記ロータリートレイの回転時に前記発光素子を発光させ、前記受光素子が前記ディスク検出孔からの反射光を受光するか否かにより、当該ディスク載置部にディスクが載置されているか否かを判別すると共に、前記受光素子が前記反射領域からの反射パターン光を受光することにより当該ディスク載置部の固有番号を判別することにより当該ディスク載置部の固有番号を判別する制御手段を備えたことを特徴とするディスク判別装置。
【請求項２】
記録媒体であるディスクを載置するディスク載置部が複数設けられたロータリートレイを回転させ、前記ディスクの番号を指定するためのディスク番号指定信号に従って、前記ディスク載置部に割り当てた番号を判別することにより、当該ディスク載置部を所定位置に停止させるディスク判別装置であって、前記ロータリートレイの裏面に同心円上で帯状に設けられた帯状部に、前記ディスクの有無を光の反射で検出するためのディスク有無検出領域と、当該ディスク載置部の位置を判別するための反射パターン光を作成する反射パターン光作成領域とを設け、前記帯状部に向けて光を出射する発光素子と、該発光素子による前記帯状部からの反射光を受光する受光素子とを前記ロータリートレイの裏面の下方側に設けたディスク判別装置において、
前記ディスク有無検出領域は、前記ディスク載置部の位置に対応させて形成されたディスク検出孔であり、前記反射パターン光作成領域は、前記ディスク検出孔の間に配置され各ディスク載置部の固有番号に対応して配列パターンが異なるように傾斜状の反射面と平面状の反射面とが区分されて配列された反射領域であることを特徴とするディスク判別装置。
【請求項３】
前記ロータリートレイの回転時に前記発光素子を発光させ、前記受光素子が前記ディスク検出孔からの反射光を受光するか否かにより、当該ディスク載置部にディスクが載置されているか否かを判別すると共に、前記受光素子が前記反射領域からの反射パターン光を受光することにより当該ディスク載置部の固有番号を判別する制御手段を備えたことを特徴とする請求項２に記載のディスク判別装置。
【発明の詳細な説明】
【０００１】
【発明の属する技術分野】
本発明は、複数のディスク載置部に載置された光ディスクなどの記録情報を再生するディスク再生装置に係わり、特に、ディスク載置部に割り当てた番号を判別することにより、当該ディスク載置部を所定位置に停止させるディスク判別装置に関する。
【０００２】
【従来の技術】
複数のディスクを選択的に再生させるディスク再生装置に備えられるディスク判別装置は、ディスクの再生モード時に、ディスク番号の選択信号により、予め割り当てられたディスク番号を判別し、ロータリートレイを再生位置で停止させるようになっている。このようなディスク判別装置では、ロータリートレイの回転位置（ディスク載置部の位置）を検出するためのロータリートレイセンサと、ディスク載置部にディスクが有るか否かを検出するためのディスク検出センサとが必要となる。
【０００３】
特許文献１に記載のディスク再生装置は、再生装置本体に対し収容、排出されるトレイ部と、このトレイ部上でディスクを保持するように構成されたディスク保持部と、前記トレイ部の前記ディスク保持部の範囲内に構成されたディスク有無検出孔と、前記再生装置本体内において前記トレイ部が収納、排出される途中の前記ディスク有無検出孔が通過する位置に当該トレイ部を挟んでその上下位置に対向配置された発光手段および受光手段と、前記トレイ部が収納動作をしている途中で前記受光手段の受光出力により前記ディスク保持部におけるディスクの有無を判別するディスク有無判別手段と、このディスク有無検出手段がディスク有りを判別したときに当該ディスクを再生するためのスタンバイ動作を指令するスタンバイ動作指令手段とを具備している。
【０００４】
また、このディスク再生装置においては、前記ディスク保持部が大径ディスクを保持する大径ディスク保持部であり、前記トレイ部上に回転可能に配設された回転テーブルと、この回転テーブルの回転中心の周りで小径ディスクを保持するように当該回転テーブル上に構成された複数の小径ディスク保持部と、前記トレイ部の前記ディスク保持部および前記小径ディスク保持部の範囲外の位置であって前記トレイ部が前記再生装置本体内に収容された状態で前記回転テーブルを回転した時に前記発光手段および受光手段の光軸が通過する位置に構成されたテーブル回転位置検出孔と、前記トレイ部が前記再生装置本体内に収容された状態で前記受光手段の受光出力により前記回転テーブルの回転位置を検出するテーブル回転位置検出手段とを具備している。
【０００５】
このディスク再生装置においては、前記トレイ部が収納動作をしている途中で前記受光手段の受光出力により前記ディスク保持部におけるディスクの有無を判別するディスク有無判別手段を備えているが、前記ディスク保持部は大径ディスクを保持する大径ディスク保持部であり、この大径ディスク保持部上の大径ディスクの有無を判別するので、ロータリートレイ（回転テーブル）上のディスク載置部（小径ディスク保持部）に載置されたディスク（小径ディスク）の有無を検出する前記ディスク検出センサには相当しない。
【０００６】
また、このディスク再生装置では、前記トレイ部が前記再生装置本体内に収容された状態で前記受光手段の受光出力により前記回転テーブルの回転位置を検出するテーブル回転位置検出手段は、ロータリートレイの回転位置（ディスク載置部の位置）を検出するためのロータリートレイセンサに相当する。したがって、このディスク再生装置では、大径ディスク保持部に載置される大径ディスクの有無の検出を前記ディスク有無判別手段により行い、回転テーブルの回転位置の検出を前記テーブル回転位置検出手段により行なっている。
【０００７】
特許文献２に記載のディスク装置は、回転テーブルの各ディスク搭載面停止位置並びに初期位置及び回転テーブルの回転速度を検出するために、所望の幅の複数のスリット又は反射面区分を有した同心円上のスカートと、このスカートに協働する発光・受光装置を一つのみ有している。また、このディスク装置は、トレイが搬入位置に来たときに前記回転テーブルの各ディスク搭載面におけるディスクの有無を検知するために、休止位置にある光ヘッドを発光させ、前記回転テーブルを回転させ、ディスクにより反射されるかディスクが無いときに通過して来る前記光ヘッドからの光を受ける位置に光センサを設けている。
【０００８】
このディスク装置においては、前記発光・受光装置はロータリートレイ（回転テーブル）の回転位置を検出するためのロータリートレイセンサに相当し、前記光センサはロータリートレイ上のディスク載置部（ディスク搭載面）に載置されたディスクの有無を検出するディスク検出センサに相当する。したがって、このディスク装置では、ディスク搭載面に搭載されるディスクの有無の検出を前記光センサにより行い、回転テーブルの回転位置の検出を前記発光・受光装置により行なっている。
【０００９】
特許文献３に記載のディスク判別装置は、ディスク載置部のそれぞれに形成されディスクが載置されているか否かを示すとともに前記ディスク載置部の固有番号を示す複数の子孔と、前記ディスク載置部側に向けてロータリートレイの下部側に設けられた発光素子と、前記ロータリートレイの上部側に設けられ前記何れかの子孔を通過した前記発光素子からの放光を受光したときに検出信号を出力する第１受光素子と、前記ロータリートレイの下部側に設けられ前記子孔を塞ぐディスクの裏面または前記ディスク載置部の裏面で反射する前記発光素子からの放光を受光したときに検出信号を出力する第２受光素子とを備えている。
【００１０】
また、このディスク判別装置は、ディスク載置部のそれぞれに形成され各載置部毎に配列パターンが異なる複数の子孔と、前記ディスク載置部側に向けてロータリートレイの下部側に設けられた発光素子と、前記ロータリートレイの上部側に設けられ前記何れかの子孔を通過した前記発光素子からの放光を受光したときに検出信号を出力する第１受光素子と、前記ロータリートレイの下部側に設けられ前記子孔を塞ぐディスクの裏面または前記ディスク載置部の裏面で反射する前記発光素子からの放光を受光したときに検出信号を出力する第２受光素子とを備えている。
【００１１】
このディスク判別装置では、前記第１受光素子から検出信号が送出されてくると、当該ディスク載置部にディスクが載置されていないと判別し、前記第２受光素子より検出信号が送出されてくると、当該ディスク載置部にディスクが載置されていると判別することにより、当該ディスク載置部のディスクの有無を検出している。また、前記検出信号の入力時間間隔や所定時間内の入力数等により前記ディスク載置部の固有番号を判別することにより、ロータリートレイの回転位置を検出している。また、前記検出信号が示す前記子孔の配列パターンにより前記ディスク載置部の固有番号を判別することにより、ロータリートレイの回転位置を検出している。
【００１２】
【特許文献１】
特開平６−４９８５号公報（請求項１，２、第７図）
【特許文献２】
特開平６−１５０５２３号公報（請求項１，２）
【特許文献３】
特開２００２−２１６４１５号公報（請求項１，２、第７図）
【００１３】
【発明が解決しようとする課題】
しかしながら、特許文献１のディスク再生装置は、前記トレイ部が収納動作をしている途中で前記受光手段の受光出力により前記ディスク保持部におけるディスクの有無を判別するディスク有無判別手段を備えているが、前記ディスク保持部は大径ディスクを保持する大径ディスク保持部であり、この大径ディスク保持部上の大径ディスクの有無を判別するので、ロータリートレイ（回転テーブル）上のディスク載置部（小径ディスク保持部）に載置されたディスク（小径ディスク）の有無を検出する前記ディスク検出センサに相当するものではない。したがって、このディスク再生装置では、ロータリートレイに配置された各ディスク載置部にディスクが有るか否かの検出を行なうことができない。
【００１４】
また、特許文献２のディスク装置は、ディスク載置部（ディスク搭載面）に載置されるディスクの有無の検出を前記光センサにより行い、ロータリートレイ（回転テーブル）の回転位置の検出を前記発光・受光装置により行なっているが、前記ディスクの有無の検出とロータリートレイの回転位置の検出とに前記光センサと前記発光・受光装置との２個のセンサが必要となって、構成が複雑化して、コストアップにもなる傾向がある。
【００１５】
また、特許文献３のディスク判別装置は、前記ディスクの有無の検出とロータリートレイの回転位置の検出とに、１個の発光素子と２個の受光素子を用いているので、即ち２個のセンサを用いているのと同等であるので、構成が複雑化してコストアップにもなる傾向がある。
【００１６】
本発明は上記のような課題を解決するためになされたもので、ロータリーセンサに相当するロータリートレイ回転位置検出手段とディスク検出センサに相当するディスク有無検出手段とを共用できる構成にすることにより、構成を極力簡単化し、コストダウンをも図れるディスク判別装置を提供することを目的とする。
【００１７】
【課題を解決するための手段】
上記目的を達成するために請求項１の発明は、記録媒体であるディスクを載置するディスク載置部が複数設けられたロータリートレイを回転させ、前記ディスクの番号を指定するためのディスク番号指定信号に従って、前記ディスク載置部に割り当てた番号を判別することにより、当該ディスク載置部を所定位置に停止させるディスク判別装置において、前記ロータリートレイの裏面に同心円上で帯状に設けられた帯状部に、前記ディスク載置部の位置に対応させて形成されたディスク検出孔と、該ディスク検出孔の間に配置され各ディスク載置部の固有番号に対応して配列パターンが異なるように傾斜状の反射面と平面状の反射面とが区分されて配列された反射領域とを設け、前記帯状部に向けて光を出射する発光素子と、該発光素子による前記帯状部からの反射光を受光する受光素子とを前記ロータリートレイの裏面の下方側に設け、前記ロータリートレイの回転時に前記発光素子を発光させ、前記受光素子が前記ディスク検出孔からの反射光を受光するか否かにより、当該ディスク載置部にディスクが搭載されているか否かを判別すると共に、前記受光素子が前記反射領域からの反射パターン光を受光することにより当該ディスク載置部の固有番号を判別する制御手段を備えたことを特徴とするディスク判別装置を提供する。
【００１８】
この構成において、前記ロータリートレイが回転し、前記発光素子の出射光は傾斜状の反射面と平面状の反射面とが区分されて配列された反射領域を照射すると、前記傾斜状の反射面からの反射光は前記受光素子には殆ど入射されないが、前記平面状の反射面からの反射光は殆ど前記受光素子に入射される。これにより前記受光素子は当該ディスク載置部の固有番号に対応した反射パターン光を受光することになり、前記制御手段は前記受光素子の出力により当該ディスク載置部の固有番号を判別する。したがって、当該ディスク載置部の固有番号が分かることにより、前記ロータリートレイの回転位置、即ち当該ディスク載置部の位置を知ることができる。
【００１９】
また、当該ディスク載置部にディスクが載置されている状態のとき、前記発光素子の出射光が、前記ディスク検出孔に照射されると、そのディスクにより反射され、この反射光の殆どは前記受光素子で受光される。したがって、前記発光素子の出射光が前記ディスク検出孔に照射され、その反射光が前記受光素子で受光されたときは、当該ディスク載置部にディスクが載置されていることが分かり、その反射光が前記受光素子で受光されないときは、当該ディスク載置部にディスクが載置されていないことが分かる。
【００２０】
したがって、この請求項１の発明によれば、ロータリーセンサに相当するロータリートレイ回転位置検出手段とディスク検出センサに相当するディスク有無検出手段とを、１個の発光素子と１個の受光素子で実現しているので、構成が簡単化し、コストダウンをも図れる。
【００２５】
請求項２の発明は、記録媒体であるディスクを載置するディスク載置部が複数設けられたロータリートレイを回転させ、前記ディスクの番号を指定するためのディスク番号指定信号に従って、前記ディスク載置部に割り当てた番号を判別することにより、当該ディスク載置部を所定位置に停止させるディスク判別装置であって、前記ロータリートレイの裏面に同心円上で帯状に設けられた帯状部に、前記ディスクの有無を光の反射で検出するためのディスク有無検出領域と、当該ディスク載置部の位置を判別するための反射パターン光を作成する反射パターン光作成領域とを設け、前記帯状部に向けて光を出射する発光素子と、該発光素子による前記帯状部からの反射光を受光する受光素子とを前記ロータリートレイの裏面の下方側に設けたディスク判別装置において、
前記ディスク有無検出領域は、前記ディスク載置部の位置に対応させて形成されたディスク検出孔であり、前記反射パターン光作成領域は、前記ディスク検出孔の間に配置され各ディスク載置部の固有番号に対応して配列パターンが異なるように傾斜状の反射面と平面状の反射面とが区分されて配列された反射領域であることを特徴とするディスク判別装置を提供する。
【００２６】
この構成において、前記ロータリートレイが回転し、前記発光素子の出射光は前記反射パターン光作成領域を照射すると、前記受光素子には反射パターン光が入射される。これにより前記受光素子は当該ディスク載置部の固有番号に対応した反射パターン光を受光することになり、前記制御手段は前記受光素子の出力により当該ディスク載置部の固有番号を判別する。したがって、当該ディスク載置部の固有番号が分かることにより、前記ロータリートレイの回転位置、即ち当該ディスク載置部の位置を知ることができる。
【００２７】
また、当該ディスク載置部にディスクが載置されている状態のとき、前記発光素子の出射光が、前記ディスク有無検出領域に照射されると、そのディスクにより反射され、この反射光の殆どは前記受光素子で受光される。したがって、前記発光素子の出射光が前記ディスク有無検出領域に照射され、その反射光が前記受光素子で受光されたときは、当該ディスク載置部にディスクが載置されていることが分かり、その反射光が前記受光素子で受光されないときは、当該ディスク載置部にディスクが載置されていないことが分かる。
【００２９】
また、前記ディスク有無検出領域は、前記ディスク載置部の位置に対応させて形成されたディスク検出孔であり、前記反射パターン光作成領域は、前記ディスク検出孔の間に配置され各ディスク載置部の固有番号に対応して配列パターンが異なるように傾斜状の反射面と平面状の反射面とが区分されて配列された反射領域であるので、１個の発光素子と１個の受光素子を用いるだけで、当該ディスク載置部にディスクが載置されているか否かの検出と、当該ディス載置部の位置の検出が可能となる。
【００３１】
請求項３の発明では、前記ロータリートレイの回転時に前記発光素子を発光させ、前記発光素子が前記ディスク検出孔からの反射光を受光するか否かにより、当該ディスク載置部にディスクが載置されているか否かを判別すると共に、前記受光素子が前記反射領域からの反射パターン光を受光することにより当該ディスク載置部の固有番号を判別する制御手段を備えているので、当該ディスク載置部にディスクが載置されているか否かの検出結果と、当該ディスク載置部の位置の検出結果を得ることができる。
【００３３】
【発明の実施の形態】
以下、添付図面を参照しつつ、本発明の実施の形態について説明する。図１は本発明の一実施形態に係るディスク判別装置の電気的構成を示すブロック図である。図２は本発明の一実施形態に係るディスク判別装置のロータリートレイを裏から見た構成図である。
【００３４】
先ず、図２を参照してロータリートレイの構成について説明する。このロータリートレイ１は、円盤状で中央に固着された回転軸１２を有している。このロータリートレイ１の表面には、５枚のディスクが載置できるディスク載置部１３，１４，１５，１６，１７が等間隔をあけて配設されている。各ディスク載置部１３，１４，１５，１６，１７には、載置されたディスクの下面（記録面）に光ピックアップ装置（光ヘッド）が接近できるように各開口部１３ａ，１４ａ，１５ａ，１６ａ，１７ａが設けられている。
【００３５】
また、ロータリートレイ１の裏面に同心円上で帯状に設けられた帯状部１８には、各ディスク載置部１３，１４，１５，１６，１７の位置に対応させて設けられたディスク検出孔１３ｂ，１４ｂ，１５ｂ，１６ｂ，１７ｂと、各ディスク検出孔１３ｂ，１４ｂ，１５ｂ，１６ｂ，１７ｂの間に配置され各ディスク載置部１３ｂ，１４ｂ，１５ｂ，１６ｂ，１７ｂの固有番号に対応して配列パターンが異なるように傾斜状の反射面Ｌと平面状の反射面Ｈとが区分されて配列された反射領域１９とが設けられている。前記配列パターンは、ロータリートレイ１の裏面から見て反時計方向に従って反射面Ｌと反射面Ｈが配列される。
【００３６】
図１において、このディスク判別装置は、ロータリートレイ１に配設されたディスク載置部１３，１４，１５，１６，１７（図２参照）に載置されるディスクの記録情報を再生するディスクプレイヤーに設けられており、発光素子５、受光素子４、カウンタ６、点灯制御部７、制御部８、メモリ９、受信部１０、およびリモコン（リモートコントローラ）１１を備えている。
【００３７】
ロータリートレイ１の回転軸１２はモータ２のシャフトに連結され、ロータリートレイ１はモータ駆動部３により駆動されるモータ２により回転するようになっている。カウンタ６は受光素子４の出力パルスをカウントするもので、点灯制御部７は発光素子５の点灯を制御するものである。メモリ９はディスク載置部１３，１４，１５，１６，１７（図２参照）を識別するための番号データを予め記憶したものである。
【００３８】
リモコン１１は、ディスクプレイヤーを操作するためのパワーキー、プレイキー、ストップキー、テンキー、アップダウンキー、ディスク選択キーなどを備えており、何れかのキーが操作されると、操作内容に対応した赤外線信号を送信するようになっている。受信部１０は、リモコン１１からの赤外線信号を受信すると、その赤外線信号を電気信号に変換して制御部８に伝送するものである。
【００３９】
制御部８は、リモコン１１からの指令を受けて再生系の各回路を制御し、ロータリートレイ１を回転駆動させた後、カウンタ６からのカウント値に応じてロータリートレイ１の回転を制御し、図示しない光ピックアップ装置が設けられた再生位置に、選択されたディスク番号のディスク載置部を停止させる再生制御を行うものである。
【００４０】
図３は本実施形態においてロータリートレイ１の裏面に形成される配列パターンと、発光素子５および受光素子４との配置を説明するための構成図である。ロータリートレイ１の裏面に同心円上で帯状に設けられた帯状部には、図３（Ａ）に示すような傾斜状の反射面Ｌを有した楔形部分２２と、図３（Ｂ）に示すような平面状の反射面Ｈを有した平形部分２３とが各ディスク載置部１３，１４，１５，１６，１７を識別するための配列パターンに従って設けられている。このような楔形部分２２と平形部分２３は、例えば、ロータリートレイ１と一体的に樹脂成型することにより形成することができる。また、前記帯状部には、図３（Ｃ）に示すようにディスク検出孔２４が各ディスク載置部１３，１４，１５，１６，１７に対応して設けられている。
【００４１】
発光素子５は前記帯状部に向けて光を出射できるように基板２０に取り付けられ、受光素子４は発光素子５による前記帯状部からの反射光を受光できるように基板２０に取り付けられている。
【００４２】
図３（Ａ）では、発光素子５の出射光は傾斜状の反射面Ｌで反射し、この反射光は殆ど受光素子４には届かない様子を示している。また、図３（Ｂ）では、発光素子５の出射光は平面状の反射面Ｈで反射し、この反射光の殆どは受光素子４で受光する様子を示している。図３（Ｃ）では、発光素子５の出射光はディスク検出孔２４を通り抜けて受光素子４は受光いない様子を示している。また、図３（Ｄ）では、発光素子５の出射光はディスク検出孔２４を介してディスク２１の裏面（記録面）で反射し、この反射光の殆どは受光素子４で受光する様子を示している。なお、ディスク２１はロータリートレイ１に設けられたディスク載置部に載置されていることを示す。
【００４３】
図４は本実施形態において受光素子４が反射光（反射パターン光）を受光して電気信号として出力されるパルス信号を示す信号波形図である。このパルス信号における期間ｔ１の信号は、カウント開始指令信号と当該ディスク載置部の固有番号とブレーキ指令信号を示し、期間ｔ２の信号は当該ディスク載置部にディスクが載置されているかの検出を行うためのディスク有無信号を示す。
【００４４】
期間ｔ１の信号は、図２に示すロータリートレイ１の裏面上のディスク検出孔１３ｂとディスク検出孔１７ｂ間に形成された斜面状の反射面Ｌと平面状の反射面Ｈが、「Ｈ」「Ｌ」「Ｈ」「Ｌ」「Ｌ」「Ｈ」「Ｌ」「Ｌ」「Ｈ」「Ｈ」「Ｌ」「Ｈ」というように配列された場合に対応する信号である。なお、最初の平面状の反射面Ｈはカウントを開始させるためのカウント開始指令信号を発生させるためのものであり、最後の平面状の反射面Ｈは、ロータリートレイ１を停止させるためのブレーキ指令信号を発生させるためのものである。また、期間ｔ２の信号は、ディスク載置部１７にディスクが載置されている場合の信号であり、ハイレベルになっている。ディスク載置部１７にディスクが載置されていない場合は、期間ｔ２の信号はローレベルになる。
【００４５】
次に本ディスク判別装置の動作について図１〜図４を参照して説明する。ロータリートレイ１のディスク載置部１３，１４，１５，１６，１７のうち、例えば５番目のディスク載置部１７にディスクを載置した場合について説明する。
【００４６】
ユーザがディスク載置部１７に載置されたディスクの記録情報を再生したいとき、リモコン１１のパワーキーを操作した後、例えば数字５のテンキーを操作すると、リモコン１１から５番目のディスク載置部１７のディスクに対する再生指令信号が送信される。制御部８は、５番目のディスク載置部１７のディスクに対する再生指令信号を、受信部１０を介して入力すると、メモリ９の所定エリアに５番目のディスク載置部１７を識別するための識別データ（固有番号）を記憶させる。そして、制御部８は、モータ駆動部１４に対して駆動指令信号を送出し、且つ、点灯制御部７にも点灯駆動指令信号を送出する。これにより、モータ２が回転駆動し、ロータリートレイ１が正方向（図２の矢印方向でロータリートレイ１の上面から見れば時計方向）の回転を開始する。
【００４７】
また、発光素子５が発光するので、この放光線上（図２の矢印２５）に５番目のディスク載置部１７が回転してきたとき、発光素子５の出射光が反射面Ｈ，Ｌ，Ｈ，Ｌ，Ｌ，Ｈ，Ｌ，Ｌ，Ｈ，Ｈ，Ｌ，Ｈに順次当たり、反射光を受ける受光素子４は期間ｔ１のパルス信号を出力する。このパルス信号は論理１，０，１，０，０，１，０，０，１，１，０，１を示す信号であり、カウンタ６は期間ｔ１の最初のパルス信号（論理１）を入力するとカウント動作を開始し、カウント出力が制御部８に与えられる。制御部８では、そのカウント出力のデータとメモリ９に予め記憶された識別データ（固有番号）とを比較し、両者が一致したとき５番目のディスク載置部１７が回転してきたことを検出する。
【００４８】
なお、前述したように期間ｔ１のパルス信号のうち、最初のパルス信号は、カウンタ６のカウント動作を開始させるためのカウント開始指令信号に用いられ、最後のパルス信号は、ロータリートレイ１の回転を停止させるためのブレーキ指令信号に用いられる。
【００４９】
そして、５番目のディスク載置部１７が更に回転して、ディスク検出孔１７ｂが矢印２５で示す放光線上に来ると、発光素子５の出射光が５番目のディスク載置部１７に載置されたディスクで反射し、この反射光が受光素子４で受光されると、期間ｔ２の信号はハイレベルとなる。このハイレベル信号はカウンタ６を介して制御部８に与えられ、制御部８では５番目のディスク載置部１７にディスクが載置されていることを認識する。
【００５０】
これにより、制御部８はモータ駆動部３を制御し、ディスク載置部１７が光ピックアップ装置（図示せず）が設けられた再生位置に来るようにロータリートレイ１の回転を停止させる。したがって、５番目のディスク載置部１７に載置されたディスクに対する再生動作が可能になる。なお、ディスク載置部１７にディスクが載置されていない場合は、ロータリートレイ１はそのまま回転を続け、同様な動作により、ユーザが指定したディスクが載置されたディスク載置部を検出する。
【００５１】
なお、図２では、反射面を１２個に区分した例を示したが、この場合、５個のディスク載置部１３，１４，１５，１６，１７を区別するために少なくとも、反射面が２進法に対応させた場合、反射面は期間ｔ１（図４参照）に対してカウント開始指令信号とブレーキ指令信号を含め５個以上あれば良い。また、ディスク載置部の個数は５個に限ることはない。但し、期間ｔ１のパルス数（配列パターンの密度）が多くなればディスク載置部の位置の検出精度が高まる。
【００５２】
また、この実施形態では、ディスク載置部の固有番号に対応して傾斜状の反射面Ｌと平面状の反射面Ｈとの配列パターンを２進法によって作成したが、前記配列パターンを１０進法によって作成しても良い。例えば、１番目のディスク載置部１３に対しては１個のパルス、２番目のディスク載置部１４に対しては２個のパルス、３番目のディスク載置部１５に対しては３個のパルス、４番目のディスク載置部１６に対しては４個のパルス、５番目のディスク載置部１７に対しては５個のパルスが発生するように前記配列パターンを作成する。
【００５３】
また、この実施形態では、ディスク載置部の位置を検出するために反射領域の情報を検出し、この後、ディスクの有無を検出するためにディスク検出孔の情報を検出したが、先にディスク検出孔の情報を検出し、この後、反射領域の情報を検出するようにしても良い。この場合、当該ディスク載置部にディスクが載置していなければ、当該ディスク載置部に対する位置検出処理を省略することができので、処理時間を短縮できる。
【００５４】
この実施形態によれば、ロータリートレイ１が回転し、発光素子５の出射光は傾斜状の反射面Ｌと平面状の反射面Ｈとが区分されて配列された反射領域１９を照射すると、傾斜状の反射面Ｌからの反射光は受光素子４には殆ど入射されないが、平面状の反射面Ｈからの反射光は殆ど受光素子４に入射され、これにより、受光素子４は当該ディスク載置部１７の固有番号に対応した反射パターン光を受光することになり、制御部８は受光素子４の出力により当該ディスク載置部１７の固有番号を判別する。したがって、当該ディスク載置部１７の固有番号が分かることによりロータリートレイ１の回転位置、即ち当該ディスク載置部１７の位置を知ることができる。
【００５５】
また、当該ディスク載置部１７にディスク２１が載置されている状態のとき、発光素子５の出射光が、ディスク検出孔１７ｂに照射されると、そのディスク２１により反射され、この反射光の殆どは受光素子４で受光される。したがって、発光素子５の出射光がディスク検出孔１７ｂに照射され、その反射光が受光素子４で受光されたときは、当該ディスク載置部１７にディスク２１が載置されていることが分かり、その反射光が受光素子４で受光されないときは、当該ディスク載置部１７にディスクが載置されていないことが分かる。なお、他のディスク載置部１３，１４，１５，１６に対する動作についても同様である。
【００５６】
したがって、この実施形態によれば、ロータリーセンサに相当するロータリートレイ回転位置検出手段とディスク検出センサに相当するディスク有無検出手段とを、１個の発光素子５と１個の受光素子４で実現しているので、構成が簡単化し、コストダウンをも図れる。
【００５７】
図５は本発明の他の実施形態に係るディスク判別装置においてロータリートレイ１の裏面に形成される配列パターンと、発光素子５および受光素子４との配置を説明するための構成図である。ロータリートレイ１の裏面に同心円上で帯状に設けられた帯状部には、図５（Ａ）に示すような黒色の投光面Ｆを有した平形部分２６と、図５（Ｂ）に示すような銀色の投光面Ｇを有した平形部分２７とが各ディスク載置部１３，１４，１５，１６，１７（図２参照）を識別するための配列パターンに従って設けられている。このような平形部分２６と平形部分２７は例えば、ロータリートレイ１の裏面にカラーテープを貼ったり、カラー塗装したりすることにより実現することができる。また、前記帯状部には、図５（Ｃ）に示すようにディスク検出孔２４が各ディスク載置部１３，１４，１５，１６，１７に対応して設けられている。
【００５８】
発光素子５は前記帯状部に向けて光を出射できるように基板２０に取り付けられ、受光素子４は発光素子５による前記帯状部からの反射光を受光できるように基板２０に取り付けられている。
【００５９】
図５（Ａ）では、発光素子５の出射光は黒色の投光面Ｆに当たって吸収され、この反射光は受光素子４には届かない様子を示している。また、図５（Ｂ）では発光素子５の出射光は銀色の投光面Ｇで反射し、この反射光の殆どは受光素子４で受光する様子を示している。図５（Ｃ）では、発光素子５の出射光はディスク検出孔２４を通り抜けて受光素子４は受光しない様子を示している。また、図５（Ｄ）では、発光素子５の出射光はディスク検出孔２４を介してディスク２１の裏面（記録面）で反射し、この反射光の殆どは受光素子４で受光する様子を示している。なお、ディスク２１はロータリートレイ１に設けられたディスク載置部に載置されていることを示す。
【００６０】
図２において示される傾斜状の反射面Ｌは、図５に示す黒色の投光面Ｆに対応し、図２において示される平面状の反射面Ｈは、図５に示す銀色の投光面Ｇの対応する。したがって、この実施形態では、前述した実施形態における反射面Ｌを投光面Ｄに、反射面Ｈを投光面Ｇに置き換えたものであるので、ここでは動作説明を省略することにする。
【００６１】
なお、この実施形態では、投光面Ｆを黒色にしたが、これに限らず光をできるだけ吸収できる濃い色であれば良い。また、投光面Ｇを銀色にしたが、これに限らず光をできるだけ反射できる反射色であれば良い。
【００６２】
この実施形態によれば、ロータリートレイ１が回転し、発光素子５の出射光は光吸収色の投光面Ｆと光反射色の投光面Ｇとが区分されて配列された投光領域を照射すると、光吸収色の投光面Ｆからの反射光は殆どなく、受光素子４には入射されないが、光反射色の投光面Ｇからの反射光は殆ど受光素子４に入射され、これにより、受光素子４は当該ディスク載置部１７の固有番号に対応した反射パターン光を受光することになり、制御部８は受光素子４の出力により当該ディスク載置部１７の固有番号を判別する。したがって、当該ディスク載置部１７の固有番号が分かることにより、ロータリートレイ１の回転位置、即ち当該ディスク載置部１７の位置を知ることができる。
【００６３】
また、当該ディスク載置部１７にディスク２１が載置されている状態のとき、発光素子５の出射光が、ディスク検出孔１７ｂに照射されると、そのディスク２１により反射され、この反射光の殆どは受光素子４で受光される。したがって、発光素子５の出射光がディスク検出孔１７ｂに照射され、その反射光が受光素子４で受光されたときは、当該ディスク載置部１７にディスク２１が載置されていることが分かり、その反射光が受光素子４で受光されないときは、当該ディスク載置部１７にディスクが載置されていないことが分かる。なお、他のディスク載置部１３，１４，１５，１６に対する動作についても同様である。
【００６４】
したがって、この実施形態によれば、ロータリーセンサに相当するロータリートレイ回転位置検出手段とディスク検出センサに相当するディスク有無検出手段とを、１個の発光素子５と１個の受光素子４で実現しているので、構成が簡単化し、コストダウンをも図れる。
【００６５】
【発明の効果】
以上のように請求項１の発明によれば、ロータリートレイが回転し、発光素子の出射光は傾斜状の反射面と平面状の反射面とが区分されて配列された反射領域を照射すると、前記傾斜状の反射面からの反射光は受光素子には殆ど入射されないが、前記平面状の反射面からの反射光は殆ど前記受光素子に入射され、これにより、前記受光素子は当該ディスク載置部の固有番号に対応した反射パターン光を受光することになり、制御手段は前記受光素子の出力により当該ディスク載置部の固有番号を判別する。したがって、当該ディスク載置部の固有番号が分かることにより、前記ロータリートレイの回転位置、即ち当該ディスク載置部の位置を知ることができる。
【００６６】
また、当該ディスク載置部にディスクが載置されている状態のとき、前記発光素子の出射光が、前記ディスク検出孔に照射されると、そのディスクにより反射され、この反射光の殆どは前記受光素子で受光される。したがって、前記発光素子の出射光が前記ディスク検出孔に照射され、その反射光が前記受光素子で受光されたときは、当該ディスク載置部にディスクが載置されていることが分かり、その反射光が前記受光素子で受光されないときは、当該ディスク載置部にディスクが載置されていないことが分かる。
【００６７】
したがって、この請求項１の発明によれば、ロータリーセンサに相当するロータリートレイ回転位置検出手段とディスク検出センサに相当するディスク有無検出手段とを、１個の発光素子と１個の受光素子で実現しているので、構成が簡単化し、コストダウンをも図れる。
【００７１】
請求項２の発明によれば、ロータリートレイが回転し、発光素子の出射光は反射パターン光作成領域を照射すると、受光素子には反射パターン光が入射され、これにより、前記受光素子は当該ディスク載置部の固有番号に対応した反射パターン光を受光することになり、制御手段は前記受光素子の出力により当該ディスク載置部の固有番号を判別する。したがって、当該ディスク載置部の固有番号が分かることにより、前記ロータリートレイの回転位置、即ち当該ディスク載置部の位置を知ることができる。
【００７２】
また、当該ディスク載置部にディスクが載置されている状態のとき、前記発光素子の出射光が、前記ディスク有無検出領域に照射されると、そのディスクにより反射され、この反射光の殆どは前記受光素子で受光される。したがって、前記発光素子の出射光が前記ディスク有無検出領域に照射され、その反射光が前記受光素子で受光されたときは、当該ディスク載置部にディスクが載置されていることが分かり、その反射光が前記受光素子で受光されないときは、当該ディスク載置部にディスクが載置されていないことが分かる。
【００７３】
したがって、この請求項２の発明によれば、ロータリーセンサに相当するロータリートレイ回転位置検出手段とディスク検出センサに相当するディスク有無検出手段とを、１個の発光素子と１個の発光素子で実現しているので、構成が簡単化し、コストダウンも図れる。
【００７４】
また、前記ディスク有無検出領域は、前記ディスク載置部の位置に対応させて形成されたディスク検出孔であり、前記反射パターン光作成領域は、前記ディスク検出孔の間に配置され各ディスク載置部の固有番号に対応して配列パターンが異なるように傾斜状の反射面と平面状の反射面とが区分されて配列された反射領域であるので、１個の発光素子と１個の受光素子を用いるだけで、当該ディスク載置部にディスクが載置されているか否かの検出と、当該ディス載置部の位置の検出が可能となる。
【００７６】
請求項３の発明によれば、前記ロータリートレイの回転時に前記発光素子を発光させ、前記発光素子が前記ディスク検出孔からの反射光を受光するか否かにより、当該ディスク載置部にディスクが載置されているか否かを判別すると共に、前記受光素子が前記反射領域からの反射パターン光を受光することにより当該ディスク載置部の固有番号を判別する制御手段を備えているので、当該ディスク載置部にディスクが載置されているか否かの検出結果と、当該ディスク載置部の位置の検出結果を得ることができる。
【図面の簡単な説明】
【図１】本発明の一実施形態に係るディスク判別装置の電気的構成を示すブロック図である。
【図２】本発明の一実施形態に係るディスク判別装置のロータリートレイを裏から見た構成図である。
【図３】本発明の一実施形態においてロータリートレイの裏面に形成される配列パターンと、発光素子および受光素子との配置を説明するための構成図である。
【図４】本発明の一実施形態において受光素子が反射光を受光して電気信号として出力されるパルス信号を示す信号波形図である。
【図５】本発明の他の実施形態に係るディスク判別装置においてロータリートレイ１の裏面に形成される配列パターンと、発光素子および受光素子との配置を説明するための構成図である。
【符号の説明】
１    ロータリートレイ
４    受光素子
５    発光素子
８    制御部（制御手段）
１３〜１７    ディスク載置部
１３ｂ〜１７ｂ，２４    ディスク検出孔
１８    帯状部
１９    反射領域
２１    ディスク
Ｆ    黒色の投光面（光吸収色の投光面）
Ｇ    銀色の投光面（光反射色の投光面）
Ｈ    平面状の反射面
Ｌ    傾斜状の反射面
【図１】
0003627812.tif 000002
【図２】
0003627812.tif 000003
【図３】
0003627812.tif 000004
【図４】
0003627812.tif 000005
【図５】
0003627812.tif 000006